(57)【要約】      （修正有）【課題】各種の仕様に対応した前面パネル部を容易に着脱できるとともに廉価に製作できるトルクコントローラを提供すること。【解決手段】トルクコントローラ１は、ＣＰＵボード１３を装着した本体部１０と、トルク値等の表示を行う前面パネル部２０とを有して構成する。本体部１０には、雌側の本体側接続コネクタ１４を備え、前面パネル部２０には、雄側のパネル側接続コネクタを備えている。本体側接続コネクタ１４とパネル側接続コネクタとを接続可能とすることによって、前面パネル部２０を本体部１０に着脱可能に構成している。また、前面パネル部２０を表示する電源スイッチ１７は本体部１０から突出するスイッチ支持部１６に装着する。【選択図】図１
0003120283.tif 000002
【実用新案登録請求の範囲】
【請求項１】
ＣＰＵボードを有する本体部と表示画面を有する前面パネル部と、を備えるトルクコントローラであって、スイッチ部を支持する支持部が前記本体部に配設されるとともに、前記前面パネル部は、前記本体部にコネクタで着脱可能に連結されていることを特徴とするトルクコントローラ。
【請求項２】
前記支持部は、前記スイッチ部が前記前面パネル部に形成された窓に挿入できるように形成されていることを特徴とする請求項１記載のトルクコントローラ。
【考案の詳細な説明】
【技術分野】
【０００１】
本考案は、ナットランナーでワークにボルトを締付ける際に、ねじの締付力を制御するトルクコントローラに関する。
【背景技術】
【０００２】
一般に、トルクコントローラは、例えばナットランナー等でボルトをワークに締付ける際に、所定のトルクでの締付力を制御している。従来、ナットランナーのモータを制御するトルクコントローラは、例えば、特許文献１に示すように、ソケットに装填されたボルトを設定のトルクで回転するために、モータの回転を制御している。そして、実際のトルクを計測して設定どおりのトルクで締付されているかどうかを判定しながらその制御を行うこととなっていた。このトルクコントローラは、ＣＰＵボードや各機器類が配置された本体部と、機器の動作や計測結果を表示する前面パネル部とを有して構成されている。そして、通常、トルクコントローラの入出力を操作するスイッチは、トルクコントローラの前面に配置されるために前面パネル部側に装着されていた。
【特許文献１】特開平１０−３４５５５号公報
【考案の開示】
【考案が解決しようとする課題】
【０００３】
しかし、前面パネル部を各種の仕様に合わせて製作する場合、つまり、ユーザーにとっては、操作を容易にするためにワンタッチ式の液晶パネルタイプで製作したり、あるいは廉価に製作するためにＬＥＤタイプで製作したりする要望がある。この場合、前面パネル部側にスイッチが装着されていると、スイッチごと交換しなければならないから、部品費や組付費等がその分コストがアップするだけではなく、それぞれの仕様に合わせたトルクコントローラを製作しなければならないために、さらにコストを高いものにしていた。従って、できるだけ兼用部品を増やして廉価に製作することが望まれていた。そのために、本体部を兼用として前面パネル部だけを容易に交換できるトルクコントローラが必要となっていた。
【課題を解決するための手段】
【０００４】
本考案は、上述の課題を解決するものであり、廉価なコストで製作できて前面パネル部を容易に交換できるトルクコントローラを提供することを目的とするものである。そのために本考案に係るトルクコントローラは、
請求項１記載の考案では、ＣＰＵボードを有する本体部と表示画面を有する前面パネル部と、を備えるトルクコントローラであって、スイッチ部を支持する支持部が前記本体部に配設されるとともに、前記前面パネル部は、前記本体部にコネクタで着脱可能に連結されていることを特徴とするものである。
【０００５】
請求項２記載の考案では、前記支持部は、前記スイッチ部が前記前面パネル部に形成された窓に挿入できるように形成されていることを特徴としている。
【考案の効果】
【０００６】
本考案に係るトルクコントローラによれば、仕様の異なる前面パネル部は、本体部とコネクタ接続するだけのワンタッチ操作で容易に交換することができる。また、スイッチ部は本体部側に配置された支持部に支持されていることから、交換可能な前面パネル部側に装着する必要はなく、その分、廉価な費用で前面パネル部を製作することが可能となる。そのため、前面パネル部を、例えば、デザインを変えることや操作を容易にできるものあるいは廉価に構成されたもの等、各種の仕様に対応して製作することができる。
【０００７】
又、本体部側に装着されたスイッチ部を前面パネル部側の一部に配置できるように形成していれば、スイッチ部が前面に現れることとなって、操作を容易に行なうことができる。
【考案を実施するための最良の形態】
【０００８】
次に、本考案による一形態のトルクコントローラを図面に基づいて説明する。
【０００９】
トルクコントローラ１は、図１〜３に示すように、ＣＰＵボード１３等の電装機器を収納した本体部１０と、トルク値等を表示する前面パネル部２０とを備えている。前面パネル部２０は、実施形態では、仕様に合わせた複数の種類のものを装着できるようにする。そのために、本体部１０側には、いずれかの前面パネル部２０が装着されても、それぞれ対応できるようにできるだけ共通部品を装着できるようにする。なお、以下の説明において、前面パネル部２０に関しては２種類の前面パネル、例えば、実操作の容易なタッチパネルタイプと廉価に製作できる７セグメントＬＥＤタイプのもので説明する。
【００１０】
本体部１０は、アルミニウム製の板を組み合わせてケース体１１を構成するとともに、ＣＰＵボード１３と電源関係載置板１５とがケース体１１に対して水平面上に配置するように内蔵されている。ＣＰＵボード１３は本体側接続コネクタ１４を装着して前面パネル部２０にコネクタ連結可能に構成されている。このＣＰＵボード１３は、タッチパネルタイプの前面パネル部２０と７セグメントＬＥＤタイプのいずれかの前面パネル部２０が装着されていても対応できるように共通化されている。
【００１１】
電源関係載置板１５は、ケース体１１の前面より前方に突出するスイッチ支持部１６を形成するとともに、スイッチ支持部１６上には電源スイッチ１７が装着されている。スイッチ支持部１６は、電源スイッチ１７を前面パネル部２０側の表面側に配置できるように形成すればその形状は限定するものではない。実施形態のスイッチ支持部１６は縦板部１６１と横板部１６２とを有してＬ字状に形成され、縦板部１６１に電源スイッチ１７が支持されている。電源スイッチ１７は電源関係載置板１５に載置されている電源部１８に接続されている。
【００１２】
実施形態のケース体１１は、底板１１１と、中板１１２と天井板１１３及び後板１１４とを有し、組付けることによって前方が開口された箱状に形成されている。なお、このケース体１１は、内蔵される電装機器によって中板１１２を適宜な枚数にして構成することができる。実施形態の中板１１２は、底板１１１に支持された電源関係載置板１５を覆うように、断面略横コ字状に形成され、上方にＣＰＵボード１３を支持している。このＣＰＵボード１３を支持する場合、中板１１２とＣＰＵボード１３との間に防振ゴムを介在させれば、防振構造をなすことができて望ましい。底板１１１は、前面パネル部２０を支持するために中板１１２より前方に突出する突出部１１１ａを有して形成されている。
【００１３】
後板１１４は、後面パネル部として形成され、例えば、電源コンセント、シーケンサ、ねじ締結するツール、複数のパーソナルコンピュータに接続するためのハブ、シリアルプリンタ等に接続する各コネクタが配置されている。
【００１４】
前面パネル部２０は、前面板２１と表示用プリント基板２３とを有して構成されている。前面板２１には、表示用プリント基板２３の表示部を開放する第１の窓２１１と電源スイッチ１７を挿入するための第２の窓２１２とが形成されている。
【００１５】
前面パネル部２０は、底板１１１の突出部１１１ａ上に配置されて、開口されているケース体１１の前面部を覆うように装着される。表示用プリント基板２３の後面には、本体部と接続するためのパネル側接続コネクタ２５が装着されている。電源側接続コネクタ１４とパネル側接続コネクタ２５とは、図２に示すように、パネル側接続コネクタ２５が複数のピンを有して雄側を形成し、電源側接続コネクタ１４がピンを挿入する雌側を形成して接続されている。
【００１６】
前面パネル部２０が、底板１１１でねじ締結され、本体部１０のＣＰＵボード１３に対してコネクタ連結されるとともに本体部１０の電源スイッチ１７を出入可能に構成することによって本体部１０に対して着脱可能としている。
【００１７】
本考案のトルクコントローラ１が、多種類の前面パネル部２０を交換できるように構成されているため、次に前面パネル部２０の各態様について説明する。
【００１８】
図４に示す前面パネル部２０Ａは、タッチセンサ式で使いやすく高価なパネルとして使用され、図５に示す前面パネル部２０Ｂは、７セグメント＆ＬＥＤ式で廉価なパネルとして使用されるものである。
【００１９】
この前面パネル部２０の画面構成を簡単に説明する。例えば、図４に示す前面パネル部２０Ａの場合、表示画面２０１と電源スイッチ１７が配置されている。表示画面２０１はタッチ式に形成され、電源スイッチ１７をＯＮにすることによって、必要な操作項目が選択的に表示される。これを順に選択してタッチすることによって、ナットランナーではツールが駆動されるとともに、所定のトルク値や締結本数等が表示され、所定のトルクに達したかどうか、あるいは必要な本数を締付けたかどうかのチェックをすることができる。
【００２０】
また、図５に示す前面パネル２０Ｂの場合、前面パネル２０Ｂには、表示画面２０２と電源スイッチ１７と、表示ランプ２０５が配置されている。表示画面２０２は、あらかじめ項目別に分かれて配置されている。第１の表示画面２０３は、現在選択されているワークの番号を示すものであり、第２の表示画面２０４は、計測値や設定値を表示するものであり、例えば、ねじ締結における設定トルク値、又は現在の締付トルク値を表示する。表示画面２０５は、ＬＣＤ表示部であり、締付時間やパルス数あるいはカウント残数の表示や設定値の表示をする。
【００２１】
また、表示ランプ２０５は、カウントランプ２０６とトルクランプ２０６とが配置されて、それぞれ「ＯＫ」であるか「ＮＯＫ」である場合にいずれかが点灯する。これらの表示画面は、いずれも電源スイッチ１７をＯＮにした後で行われる。
【００２２】
上記の前面パネル部２０の形態は、あくまで一形態であり、これに限定するものではないが、電源スイッチ１７は、いずれの前面パネル部２０Ａ、２０Ｂにおいても同一の場所に設定されている。
【００２３】
そして、前面パネル部に表示されたねじのトルク値や締付本数等をチェックする。トルク値が設定の数値に達していなければ、「ＮＯＫ」の表示で修正することができ、必要な本数の締付ができていなければ、やはり「ＮＯＫ」の表示で正規の数を締付けることになる。
【００２４】
上述のように、本実施形態のトルクコントローラ１は、本体部１０と前面パネル部２０とを、本体側接続コネクタ１４とパネル側接続コネクタ２５で接続することによって着脱可能としていることから、複数の前面パネル部２０を容易に交換することができる。従って、各レベルの仕様に対応する前面パネル部２０を廉価に製作することができる。
【００２５】
また、本体部１０には、電源スイッチ１７を支持するためのスイッチ支持部１６を形成していることから、交換される前面パネル部２０には、電源スイッチ部を構成する必要はなく廉価に製作することができる。さらに、本体部１０側に装着された電源スイッチ１７は、前面パネル部２０の第２の窓２１２に収納して配置されることから、操作も容易に行なうことができる。
【００２６】
なお、本考案のコントロールパネルは、上記の形態に限定するものではない。例えば、本体部１０内の構成は、各仕様の前面パネル部２０に対応できるＣＰＵボード１３を共通化できるのであれば、他の部品構成は適宜行われることとなる。また、電源スイッチ１７を支持するスイッチ支持部１６の形状は、適宜行なうことができるとともに、その位置は、前面パネル部２０の第２の窓２１２の位置によって適宜設定することができる。
【図面の簡単な説明】
【００２７】
【図１】本考案のトルクコントローラの一形態を示す分解斜視図である。
【図２】図１のトルクコントローラのコネクタ接続部位を示す要部側面断面図である。
【図３】図１における本体部を示す正面図である。
【図４】図１のトルクコントローラの一形態の前面パネル部を示す正面図である。
【図５】図１のトルクコントローラの別の形態の前面パネル部を示す正面図である。
【符号の説明】
【００２８】
１、トルクコントローラ
１０、本体部
１１、ケース体
１３、ＣＰＵボード
１４、本体側接続コネクタ
１５、電源関係載置板
１６、突出部
１７、電源スイッチ
２０、前面パネル部
２１、前面板
２１２、第２の窓
２３、表示用プリント基板
２５、パネル側接続コネクタ
【図１】
0003120283.tif 000003
【図２】
0003120283.tif 000004
【図３】
0003120283.tif 000005
【図４】
0003120283.tif 000006
【図５】
0003120283.tif 000007